(57)【要約】【課題】緊急性を有さない報知を居住者に確実に気付かせることができる新規な構成の住宅用感知器を提案する。【解決手段】監視対象の異常を検知する検知部１１と、警報メッセージと報知メッセージとを予め登録したメッセージ格納部１２と、時刻情報を更新、保持する時計部１６と、報知時刻の設定を受け付ける設定部１４ｂと、検知部１１が監視対象の異常を検知すると、警報メッセージを直ちに出力させる一方、時刻情報に基づいて、予め設定された報知時刻になると、報知メッセージを出力させる制御部１７とを備える。【選択図】図１
2010102658.tif 000002
【特許請求の範囲】
【請求項１】
監視対象の異常を検知する検知部と、
警報メッセージと報知メッセージとを予め登録したメッセージ格納部と、
時刻情報を更新、保持する時計部と、
前記報知時刻の設定を受け付ける設定部と、
前記検知部が前記監視対象の異常を検知すると、前記警報メッセージを直ちに出力させる一方、前記時刻情報に基づいて、予め設定された報知時刻になると、前記報知メッセージを出力させる制御部とを備えた住宅用感知器。
【請求項２】
請求項１において、
自器の自己診断を行う試験部を更に備え、
前記制御部は、前記報知時刻になると、前記試験部を作動させて、前記自己診断の結果に対応した報知メッセージを出力させる住宅用感知器。
【請求項３】
請求項１または２において、
自器の自己診断を行う試験部と、
前記自己診断の指令を受け付ける操作部とを更に備え、
前記制御部は、前記自己診断の指令に従って、前記試験部を作動させる一方、前記報知時刻になると、前記指令を促す報知メッセージを前記出力部から出力させる住宅用感知器。
【請求項４】
時刻情報を更新、保持する別体の時計装置に接続される感知器であって、
前記時計装置は、前記報知時刻の設定を受け付ける設定部を備え、
前記感知器は、
監視対象の異常を検知する検知部と、
警報メッセージと報知メッセージとを予め登録したメッセージ格納部と、
前記検知部が前記監視対象の異常を検知すると、前記警報メッセージを直ちに出力させる一方、前記時計装置の時刻情報に基づいて、予め設定された報知時刻になると、前記報知メッセージを出力させる制御部とを備えた住宅用感知器。
【請求項５】
請求項４において、
自器の自己診断を行う試験部とを備え、
前記制御部は、前記報知時刻になると、前記試験部を作動させて、前記自己診断の結果に対応した報知メッセージを出力させる住宅用感知器。
【請求項６】
請求項５において、
自器の自己診断を行う試験部と、
前記自己診断の指令を受け付ける操作部とを備え
前記制御部は、前記自己診断の指令に従って、前記試験部を作動させる一方、前記報知時刻になると、前記指令を促す報知メッセージを出力させる住宅用感知器。
【発明の詳細な説明】
【技術分野】
【０００１】
本発明は、天井面あるいは壁面等に設置され、監視対象の異常を検知すると警報メッセージを出力する住宅用感知器に関する。
【背景技術】
【０００２】
上記のような住宅用感知器には、検知部の機能異常や電源電池の電圧異常等を定期的に自己診断して、その試験結果を報知する機能を有したものがあるが、その報知は、自己診断を実行した時点でなされるようになっている。また、次の特許文献１のように、自己診断の結果、異常があれば表示灯を点灯させ、居住者が引紐を操作すると、試験結果を音声によって報知するものもある。
【特許文献１】特開2006-221458公報
【発明の開示】
【発明が解決しようとする課題】
【０００３】
しかしながら、上記のように、自己診断を実行した時点で、その試験結果を報知する構成では、居住者が就寝している夜間に、その報知がなされ、居住者が気付かない場合がある。また、上記特許文献１の構成では、居住者が表示灯の点灯に気付かないことも考えられる。そこで、本発明は、そのような緊急性を有さない報知を居住者に確実に気付かせることができる新規な構成の住宅用感知器を提案する。
【課題を解決するための手段】
【０００４】
本発明による住宅用感知器は、監視対象の異常を検知する検知部と、警報メッセージと報知メッセージとを予め登録したメッセージ格納部と、時刻情報を更新、保持する時計部と、前記報知時刻の設定を受け付ける設定部と、前記検知部が前記監視対象の異常を検知すると、前記警報メッセージを直ちに出力させる一方、前記時刻情報に基づいて、予め設定された報知時刻になると、前記報知メッセージを出力させる制御部とを備える。
【０００５】
また、自器の自己診断を行う試験部を更に備え、前記制御部は、前記報知時刻になると、前記試験部を作動させて、前記自己診断の結果に対応した報知メッセージを出力させる構成としてもよい。
【０００６】
あるいは、自器の自己診断を行う試験部と、前記自己診断の指令を受け付ける操作部とを更に備え、前記制御部は、前記自己診断の指令に従って、前記試験部を作動させる一方、前記報知時刻になると、前記指令を促す報知メッセージを前記出力部から出力させる構成としてもよい。
【０００７】
また、本発明による他の住宅用感知器は、時刻情報を更新、保持する別体の時計装置に接続される感知器であって、前記時計装置は、前記報知時刻の設定を受け付ける設定部を備え、前記感知器は、監視対象の異常を検知する検知部と、警報メッセージと報知メッセージとを予め登録したメッセージ格納部を有した音声出力部と、前記検知部が前記監視対象の異常を検知すると、前記警報メッセージを直ちに出力させる一方、前記時計装置の時刻情報に基づいて、予め設定された報知時刻になると、前記報知メッセージを出力させる制御部とを備える。
【０００８】
また、自器の自己診断を行う試験部を更に備え、前記制御部は、前記報知時刻になると、前記試験部を作動させて、前記自己診断の結果に対応した報知メッセージを出力させる構成としてもよい。
【０００９】
あるいは、自器の自己診断を行う試験部と、前記自己診断の指令を受け付ける操作部とを更に備え、前記制御部は、前記自己診断の指令に従って、前記試験部を作動させる一方、前記報知時刻になると、前記指令を促す報知メッセージを出力させる構成としてもよい。
【発明の効果】
【００１０】
本発明によれば、報知メッセージが出力される報知時刻を、居住者の生活時間帯に予め設定しておくことで、居住者がその報知メッセージに気付く可能性が飛躍的に高くなる。特に、報知時刻になると、試験部を作動させて、自己診断の結果に対応した報知メッセージを出力させる構成では、居住者が就寝している夜間に、電池の電圧異常（電池切れ予告）等、重要度が高くない報知メッセージが出力されて煩わしく感じさせることが防止できる。
【００１１】
特に、報知時刻になると、自己診断の指令を促す報知メッセージを出力する構成では、居住者は、その報知メッセージにより自己診断を指令操作することで、感知器の自己診断が実行されることになるため、居住者に試験の結果を確実に通知できる。
【００１２】
また、感知器は、時刻情報を更新、保持する時計装置に接続される構成では、時計装置を所望の位置に設置できるので、報知時刻の設定操作を容易に行える。
【発明を実施するための最良の形態】
【００１３】
本発明による警報装置は、住戸の天井面あるいは壁面に設置され、監視対象の異常を感知すると、警報を出力する感知器に関するもので、例えば、火災感知器、ガス漏れ感知器等に好適であるが、それ以外にも、不審者の侵入を感知する防犯センサ等にも適用できる。また、これらの感知器は有線、あるいは無線によって連動して警報を出力する感知器にも適用できる。更に、感知器回線に複数のセンサを接続し、センサのいずれかが監視対象の異常を感知して発報すれば、警報を出力する警報受信機にも適用できる。以下では、監視対象として煙を監視する火災感知器を実施例として、本発明を図に従って説明する。
【００１４】
図１は、本発明を適用した感知器の構成を示した機能ブロック、図２は本発明を適用した感知器の外観を示した斜視図である。
【００１５】
感知器１は、監視対象の異常を検知する検知部１１と、複数のメッセージを予め登録したメッセージ格納部１２を有した音声出力部１３と、操作部１４と、検知部１１の機能異常や電源電池の異常電圧等について自己診断を行う試験部１５と、時刻情報を更新、保持する時計部１６と、各部を制御する制御部１７とを備えている。
【００１６】
なお、１１ａは、感知部１１を構成する煙センサを収容した感知ヘッドで、保護カバーによって保護されている。また、１３ａは、音声出力部１３を構成するスピーカ（不図示）のための通音孔である。
【００１７】
感知ヘッド１１ａは、煙センサとして、発光ダイオードからなる発光部と、ホトダイオードからなる受光部を、光を遮断しつつ通気を許容するラビリンス壁で囲まれた煙検知室に適宜配置した構成で、発光部から定期的に光を照射し、煙粒子によって反射された反射光を受光部で受光し光電変換する仕組みである。
【００１８】
メッセージ格納部１２は、例えば「ピーピー、火事です。火事です」のような警報メッセージ、「定期テストを行って下さい」のような自己診断の実行指令を促す報知メッセージ、「検知部に異常があります」あるいは「電池が消耗しています」のような自己診断の結果に対応した報知メッセージ等が予め登録されており、音声出力部１３は、それらのメッセージの中から、制御部１７によって選択されたメッセージを出力する。
【００１９】
操作部１４は、警報停止操作を受け付ける押釦１４ａと、上記報知メッセージを出力させるべき報知時刻の設定を受け付ける設定キー１４ｂと、自己診断の実行指令を受け付けるテストキー１４ｃとで構成されている。また、押釦１４ａと連動する引紐１４ｄを更に備えてもよい。
【００２０】
制御部１７は、基本的な制御として、監視要因の異常を感知すると、直ちに警報メッセージの出力を開始させ、その警報メッセージが出力されている間に、警報停止操作を受け付けると、所定時間警報の出力を停止させる。また、本発明の特徴として、時計部１６の時刻情報に基づいて、予め設定された報知時刻になると、対応した報知メッセージを音声出力部１３から出力させる。このような構成とすれば、報知時刻を居住者の生活時間帯に予め設定しておくことで、居住者がその報知メッセージに気付く可能性が飛躍的に高くなる。特に、報知時刻になると、試験部１５を作動させて、自己診断の結果に対応した報知メッセージを出力させる構成では、居住者が就寝している夜間に、電池の電圧異常（電池切れ予告）等、重要度が高くない報知メッセージが出力されて煩わしく感じさせることが防止できる。
【００２１】
報知時刻は、出荷時に固定的に設定された時刻（例えば午前１０時）としてもよい。
【００２２】
また、設定キー１４ｂにより所望の報知時刻を時計部１６に設定する構成では、報知メッセージを居住者の都合がいい時刻に出力することが可能なので、生活者毎に異なる生活時間帯に適合できる。
【００２３】
また、報知時刻になると、自己診断の指令を促す報知メッセージを出力させる構成では、居住者は、その報知メッセージにより、自己診断を指令操作し、その指令操作に従って、試験部１５による自己診断が実行されることになるため、居住者に試験の結果を確実に通知できる。
【００２４】
図３は、報知時刻になると、所定の報知メッセージを出力させる動作の手順を示したフローチャートである。この手順では、制御部１７は、監視要因の異常を検知したか否かを判断し、検知していなければ、更に、報知時刻か否かを判断する。このとき、報知時刻であれば、報知メッセージを出力するが、報知時刻でなければ、監視要因の異常を検知したか否かの判断に戻る。一方、監視対象の異常を検知したか否か判断で、検知していれば直ちに警報メッセージの出力を開始する。
【００２５】
また、報知時刻になると、試験部１５による自己診断の結果に対応した報知メッセージを出力させてもよい。自己診断は、報知時刻に実行しても、それ以前に実行した試験結果を報知時刻まで記憶しておいてもよい。このような構成では、自己診断の指令操作なしで自己診断が自動的に実行され、かつ、その試験結果の報知は、居住者の生活時間帯になされるので手間が掛からない上、夜間等に試験結果の報知が出力されることもないので、煩わしさも防止できる。
【００２６】
図４は、報知時刻になると、自己診断を実行して、自己診断の結果に対応した報知メッセージを出力させる動作の手順を示したフローチャートである。この手順では、制御部１７は、監視対象の異常を検知したか否かを判断し、検知していなければ、更に、報知時刻か否かを判断する。このとき、報知時刻であれば、試験部１５を作動させて検知部１１等を自己診断して、試験結果の報知メッセージを出力するが、報知時刻でなければ、監視要因の異常を検知したか否かの判断に戻る。一方、監視対象の異常を検知したか否かの判断で、検知していれば直ちに警報メッセージの出力を開始する。
【００２７】
なお、時計部１７は、自動時刻補正機能を有した電波時計で構成してもよい。また、時刻を補正する補正スイッチ等を更に備えてもよい。
【００２８】
図５は、本発明を適用した感知器の別構成を示したブロック図である。この構成は、時刻情報を更新、保持する時計装置３０を外部に配置し、感知器１は、時計装置３０と通信する通信部１８を備えた点に特徴がある。図１に示した感知器１と共通の構成要素には同一の参照符号を付けて説明を省略する。
【００２９】
時計装置は、報知時刻の設定を受け付ける設定キー１４ｂと、時刻情報を更新、保持する時計部１６と、感知器１と通信する通信部１８とを備えている。感知器１と時計装置３０とは無線通信することが望ましいが、有線による通信であってもよい。
【００３０】
この感知器１の基本動作は、図１に示した感知器１と共通であり、また、予め設定された報知時刻になると、自己診断の指令を促す報知メッセージ等、対応した報知メッセージを前記出力部から出力する動作、あるいは報知時刻になると、自己診断の結果に対応した報知メッセージを出力する動作も、図１に示した感知器と共通である。このような構成では、時計装置３０を所望の位置に設置できるので、報知時刻の設定操作が容易に行えるという効果がある。
【００３１】
なお、時計装置３０は、自動時刻補正機能を有した電波時計で構成してもよい。また、例えばインターネット等のネットワーク上にある時刻サーバに接続して、時刻を自動補正する補正手段を更に備えてもよい。
【図面の簡単な説明】
【００３２】
【図１】本発明を適用した感知器の構成を示した機能ブロックである。
【図２】本発明を適用した感知器の外観を示した斜視図である。
【図３】本発明を適用した感知器の動作を示したフローチャートである。
【図４】本発明を適用した感知器の他の動作を示したフローチャートである。
【図５】本発明を適用した感知器の別構成を示したブロック図である。
【符号の説明】
【００３３】
１      感知器
１１    検知部
１２    メッセージ格納部
１３    音声出力部
１４ｂ  設定キー（設定部）
１４ｃ  テストキー（操作部）
１５    試験部
１６    時計部
１７    制御部
３０    時計装置
【図１】
2010102658.tif 000003
【図２】
2010102658.tif 000004
【図３】
2010102658.tif 000005
【図４】
2010102658.tif 000006
【図５】
2010102658.tif 000007